(57)【要約】【課題】本発明は、検出感度を落とすことなく、内因性ビオチン等による非特異反応の抑制を達成し超高感度の免疫組織化学的染色による抗原の検出方法を提供するものである。【解決手段】本発明の抗原の検出方法は、固定組織標本切片中の抗原を検出する超高感度の免疫組織化学的染色方法による抗原の検出方法であって、前記抗原と一次抗体とを結合させて、二次抗体及び西洋ワサビぺルオキシダーゼを含むポリマー複合体と、前記結合した一次抗体とを結合させて、前記西洋ワサビぺルオキシダーゼによる標識タイラマイドの沈着反応の標識物を可視化することによって、抗原を検出することを特徴とする。【選択図】なし【特許請求の範囲】
【請求項１】
固定組織標本切片中の抗原を検出する超高感度の免疫組織化学的染色方法による抗原の検出方法であって、前記抗原と一次抗体とを結合させて、二次抗体及び西洋ワサビぺルオキシダーゼを含むポリマー複合体と、前記結合した一次抗体とを結合させて、前記西洋ワサビぺルオキシダーゼによる標識タイラマイドの沈着反応の標識物を可視化することによって、抗原を検出する抗原の検出方法。
【請求項２】
前記ポリマー複合体と前記結合した一次抗体との反応前に、非特異反応を抑制する処理を行う請求項１に記載の方法。
【請求項３】
前記ポリマー複合体と前記結合した一次抗体との反応後に、非特異反応を抑制する処理を行う請求項１に記載の方法。
【請求項４】
前記標識タイラマイドの沈着反応前に、非特異反応を抑制する処理を行う請求項１に記載の方法。
【請求項５】
前記非特異反応を抑制する処理が、二次抗体と同種の動物血清による処理、スキンミルクによる処理、ノンファットミルクによる処理、及びガゼイン溶液による処理からなる群から選択される少なくとも1種であることを特徴とする請求項１〜4項のいずれか1項に記載の方法。
【請求項６】
前記カゼイン処理を、０．０２５〜２．５％の範囲のカゼインを含む溶液により行なうことを特徴とする請求項１〜５項のいずれか1項に記載の方法。
【請求項７】
さらに、非特異反応生成物、及びその他の残存反応物を除去するために、加熱した洗浄液によって洗浄する工程を含む、ことを特徴とする請求項１〜６項のいずれか1項に記載の方法。
【請求項８】
前記加熱した洗浄液の温度が、２５〜６０℃の範囲内であることを特徴とする請求項７記載の方法。
【請求項９】
前記標識物が、可視化することができる物質である請求項１〜８項のいずれか1項に記載の方法。
【請求項１０】
前記可視化することができる物質が、ビオチン、蛍光物質の少なくとも一つを含むものである請求項９記載の方法。
【請求項１１】
蛍光物質が、フルオレスセンス・イソチアネ−トである請求項１０記載の方法。
【請求項１２】
反応液、反応時間、及び洗浄回数をプログラムして自動免疫装置に組み込み、自動化して行なう請求項１〜１１項のいずれか1項に記載の方法。
【発明の詳細な説明】
【技術分野】
【０００１】
本発明は、抗原の検出方法に関し、特に、免疫組織化学的染色を用いた抗原の検出方法に関する。
【背景技術】
【０００２】
近年の免疫科学の進歩により、抗原抗体反応を用いて微量の物資を感度良く検出する免疫測定が広く用いられている。免疫測定の中で一般的なものとして、免疫組織染色及び酵素免疫測定がある。
【０００３】
免疫組織染色とは、組織上の特定の抗原を、その抗原を特異的に認識する抗体によって検出する方法である。通常、組織を固定後パラフィン包埋したブロックから薄切した切片上に特定の抗原を認識する抗体を反応させ、反応した抗体の有無から抗原の存在を判断する。最初に抗原と反応させる抗体を、通常、第一抗体と呼ぶ。第一抗体に、視覚又は機器により検出し得るシグナルを発する物質を結合させておけば、そのシグナルの強度から第一抗体の量がわかり、それは即ち切片上の抗原の量に対応する。この目的を達成するためのシグナルを発する物質として蛍光物質、酵素などが挙げられる。
【０００４】
光学顕微鏡での染色像の解析が可能となった現在では、シグナルを発する物質として酵素を用いるのが一般的となった。免疫組織染色を行なう際、第一抗体に酵素を結合させておけば、その酵素の発色性の基質を加えることにより酵素活性に対応した発色が得られ、それは抗体の量に対応、即ち組織上に存在する抗原の量に対応する。しかし、この方法では通常十分な感度が得られない。
【０００５】
抗原を検出する免疫組織化学的染色方法には、一次抗体を可視化できる酵素や標識物で標識したものを用いる直接法と一次抗体を標識せずに二次抗体を標識する間接法があることが記載されている(酵素抗体法  学際企画  ２０００２．２．１８発刊、ｐ．２３-２５（以下、非特許文献１という）)。一般に、間接法には、抗原を一次抗体で標識した後に、この特異抗体を標識する間接法に属するペルオキシダーゼ抗ペルオキシダーゼ法（以下、ＰＡＰ法という）、ストレプトアビチンービオチン複合体法（以下、ｓＡＢＣ法という）、二次抗体と標識酵素とのポリマーへ結合させたポリマー試薬法、ＦＩＴＣで標識した一次抗体ないし二次抗体をＨＲＰ標識抗ＦＩＴＣ抗体を用いる方法、ｓＡＢＣ法に異化レポーター沈着反応（以下、ＣＡＲＤという）を追加した超高感度の免疫組織化学的染色方法がある。
【０００６】
ＰＡＰ法は、「改訂四版  渡辺・中根  酵素抗体法  名倉宏、長村義之、堤寛編  学際企画  ２０００２．２．１８発刊、非特許文献１」に記載されている。これには、ウサギの一次抗体を反応させ、次ぎに、過剰なブタ抗ウサギ抗体を反応させる方法である（当該文献、ｐ．１３６-１３８）。ブタ抗ウサギ抗体の２つのウサギ抗体に対する結合部の一つに、ウサギ抗ＨＲＰ抗体とＨＲＰを可溶性結合させた複合体（ＰＡＰ複合体）を抗原抗体反応で結合する。ＨＲＰと過酸化水素水とジアミノベンチジン等のカップリング色素で抗原の存在部位に呈色反応を生じさせる。ヘマトキシリン溶液で核を対比染色した後に、濃度の漸増するエタノール系列に切片を浸し脱水し、キシレンを浸透させ、カバーガラスでプラスチック溶剤を用いて封入する。
【０００７】
次に、ｓＡＢＣ法は、上記非特許文献１のｐ．１３８-１４４に記載されている。この方法によれば、固定組織パラフィン切片のパラフィンの除去、非特許文献１のｐ．１６３に記載されている０．０３％過酸化水素水メータノール液に２０分間浸し内因性ぺルオキシダーゼ活性を抑制し、リン酸緩衝液で親水化する。切片中の抗原を一次抗体で標識する。ビオチン化二次抗体を一次抗体と反応させ、ストレプトアビチン-ＨＲＰ複合体で標識し、ＨＲＰと過酸化水素水とジアミノベンチジン等のカップリング色素で抗原の存在部位に呈色反応を生じさせる。ヘマトキシリン溶液で核を対比染色した後に、濃度の漸増するエタノール系列に切片を浸し脱水し、キシレンを浸透させ、カバーグラスでプラスチック溶剤を用いて封入する。
【０００８】
また、ＨＲＰ標識抗ＦＩＴＣ抗体を用いる方法は、上記非特許文献１のｐ．１５８に記載されている。これによれば、ｓＡＢＣ法と同様に固定標本切片を親水化し、ＦＩＴＣ標識の一次抗体で抗原を標識するか、抗原と反応させた一次抗体をＦＩＴＣ標識二次抗体で標識し、そのＦＩＴＣをＨＲＰなどの酵素で標識した抗ＦＩＴＣ抗体と反応させ、ＨＲＰなどの呈色反応で、抗原の検出を間接的に行う。ザイメッド社のホームページ（以下、非特許文献２という）に、商業的にこのキットの記載がある。
【０００９】
また、特開２００１-１８１２９９号（以下、特許文献１という）では、ポリマー試薬法が知られている。特許文献１では、ポリマーを担体として酵素（ＨＲＰなど）と抗体（蛋白）の複合体で、高感度に特異抗体で標識される物質の検出が可能との記載がある。この特許文献１の請求項１３に、ポリマー試薬法の記載がある。また、上記非特許文献１のｐ．１４７に、以下に示すポリマー試薬法の実施法の記載がある。ｓＡＢＣ法と同様に固定標本切片を親水化し、切片中の抗原を特異抗体と反応させ、二次抗体とＨＲＰ等の酵素とポリマーの複合体と反応させ、ＨＲＰなどの呈色反応で、抗原の検出を間接的に行う。商業的には、ＥＮＶＩＳＩＯＮ、ＣｈｅｍＭａｔｅ  ＥＮＶＩＳＩＯＮがダコサイトメーション社から、ｓｉｍｐｌｅ  ｓｔａｉｎ  ｓｙｓｔｅｍがニチレイから、二次抗体の代わりに特異抗体と酵素とポリマーの複合体を用いるＥＰＯＳ  ｓｙｓｔｅｍがダコサイトメーション社から供給されている。
【００１０】
また、ＣＡＲＤは、米国特許第  ５，７３１，１５８  号（以下、特許文献２という）に記載があり、この特許文献２では、ｃｌａｉｍ  ９に、ビオチン化タイラマイドや蛍光標識（フルオレスシン・イソサイアネート（ＦＩＴＣ）等）タイラマイドの利用の記述がある。この特許文献２の請求項９に、ビオチン化タイラマイドのＣＡＲＤの記載がある。上記非特許文献１のｐ．１５０-１５２とＪ  Ｉｍｍｕｎｏｌ  Ｍｅｔｈｏｄｓ．  １９８９（以下、非特許文献３という）では、酵素反応での特異物質の沈着を特定の物質の検出の増幅に用い、超高感度の検出が可能であるとの記載がある。また、Ｌａｂ  Ｉｎｖｅｓｔ．（以下、非特許文献４という）では、化学固定された組織のパラフィン切片で、抗原回復処理と〔非特許文献１〕の標識シグナルの増幅法の組み合わせ（ＩｍｍｕｎｏＭａｘ法）で、化学固定された組織のパラフィン切片では検出できなかった抗原を検出することができるとの記載がある。上記非特許文献３及び上記非特許文献４に、超高感度の免疫組織化学的染色法の以下に示す実施法の記載がある。すなわち、ｓＡＢＣ法と同様に固定標本切片を親水化し、抗原回復し、ｓＡＢＣ法で抗原を標識し、ＨＲＰによるビオチン化タイラマイドを沈着させ、ストレプトアビチン-ＨＲＰ複合体で標識増幅を行い、抗原の検出感度をｓＡＢＣ法の１０００倍に増幅する超高感度の免疫組織化学的染色を行う方法である。この染色方法はＩｍｍｕｎｏＭａｘ法として報告され、商業的にはｃａｔａｌｙｚｅｄ  ｓｉｇｎａｌ  ａｍｐｌｉｆｉｃａｔｉｏｎ  （ＣＳＡ）  ｓｙｓｔｅｍとしてダコサイトメーション社より供給されている。しかし、抗原回復による内因性ビオチンによる非特異反応は強く、非特許文献１のｐ１６４-１６５に記載の内因性ビオチンを０．１％アビチン溶液と０．０１％ビオチン溶液に浸しマスクする方法を導入したものが開発された。そして、ＤＥＮＤＲＩＴＩＣ  ＣＥＬＬＳ  １９９７（以下、非特許文献５という）と平成１０年度〜平成１１年度科学研究費補助金（基盤研究（Ｃ）（２））研究成果報告書  ＨＴＬＶ-１関連疾患のＨＴＬＶ-１超高感度組織科学的検出法による研究（以下、非特許文献６という）に記載のｍｏｄｉｆｉｅｄ  ＩｍｍｕｎｏＭａｘ法が開発された。また、ｓＡＢＣ法の代わりに、ＨＲＰ標識抗ＦＩＴＣ抗体を用いる方法に、ＨＲＰによるビオチン化タイラマイドを沈着させ、ストレプトアビチン-ＨＲＰ複合体で標識増幅を行い、抗原の検出感度をＨＲＰ標識抗ＦＩＴＣ抗体を用いる方法の１０００倍に増幅する超高感度の免疫組織化学的染色方法がキット化され、非ビオチン法のCSAIIとしてダコサイトメーション社から供給されている。さらに、米国特許第  ６，２０３，９８９号（以下、特許文献５という）では、標的核酸を標識するｉｎ-ｓｉｔｕ  ｈｙｂｒｉｄｉｚａｔｉｏｎの増幅したシグナルを可視化する方法として、ＨＲＰ、アルカリフォスファターゼなどの酵素反応の他に、蛍光標識（フルオレスシン・イソサイアネート（ＦＩＴＣ）等）が利用できるとの記載がある。特許文献２の請求項９と特許文献５にＣＡＲＤでの沈着したタイラマイドの標識に、蛍光物質を使う記載がある。
【００１１】
また、免疫組織化学的染色における非特異反応は、目的とする抗原以外の非特異的結合物質をも染色され、ひいては目的とする抗原として最終的に検出されてしまうという問題がある。
【００１２】
このような非特異反応は、固定組織標本切片に内在する原因によるものと固定組織標本切片の処理に起因するもの、染色の各反応の試薬の問題、染色の各反応後の洗浄の問題、染色操作の問題が原因となるものがある。
【００１３】
このような非特異的反応による問題を解決するために、内因性ぺルオキシダーゼ活性による非特異反応の抑制方法が知られている（上記非特許文献１のｐ．１６３）。内因性ぺルオキシダーゼ活性による非特異反応は、固定組織標本切片の内在する原因による非特異反応の一つである。内因性ぺルオキシダーゼ活性の抑制は、固定組織標本パラフィン切片のパラフィンを除き親水化の前に、０．０３％過酸化水素メタノール溶液に切片を２０分間浸すか、親水化後に０．３％過酸化水素リン酸緩衝液に５分間浸して行なう。
【００１４】
抗体の非特異反応は、染色の各反応の試薬の問題、染色の各反応後の洗浄の問題による非特異反応に含まれる。染色に関わる非特異的反応の問題に対して、断片化免疫グロブリン抗体を特異（一次）抗体や二次抗体に用いることで非特異反応を抑制することが知られている米国特許第  ５，８６９，２７４  号（以下、特許文献４という）では、特異抗体反応の前に一価の抗体を反応させることで、抗体の非特異反応を抑制できるとの記載がある。この特許文献４と上記非特許文献１のｐ．４３）。非特許文献１のｐ．  １８５に、抗体希釈液に一次抗体と対応したウマ、ヒツジ、ウサギなどの動物血清を１％から５％加えることで非特異反応を抑制することの記載がある。また、非特許文献１のｐ．１１５に、０．２５％カゼイン溶液を抗体反応の前に５〜３０分間反応させることで非特異反応抑制することの記載がある。抗体希釈液に０．１％Ｔｗｅｅｎ２０などの界面活性剤を添加したトリス緩衝液が商業的に供給され用いられている。
【００１５】
また、抗原回復法による非特異反応は、固定組織標本切片の処理に起因するものであるが、超高感度の免疫組織化学的染色法で問題となる。その主たる原因が抗原回復された内因性ビオチンである。非特許文献１のｐ１６４-１６５に、０．１％アビチン溶液で、内因性ビオチンをマスクし、アビチンの残余ビオチンとの結合部を０．０１％ビオチン溶液でマスクする方法の知られている。この方法をｓＡＢＣ法を含む超高感度の免疫組織化学的染色方法に導入することも知られている（Ｈａｓｕｉ  Ｋ，  Ｓａｔｏ  Ｅ，  Ｔａｎａｋａ  Ｙ，  Ｙａｓｈｉｋｉ  Ｓ，  Ｉｚｕｍｏ  Ｓ．  （１９９７）  Ｑｕａｎｔｉｔａｔｉｖｅ  ｈｉｇｈｌｙ-ｓｅｎｓｉｔｉｖｅ  ｉｍｍｕｎｏｈｉｓｔｏｃｈｅｍｉｓｔｒｙ  （Ｍｏｄｉｆｉｅｄ  ＩｍｍｕｎｏＭａｘ）  ｏｆ  ＨＴＬＶ-１  ｐ４０ｔａｘ  ａｎｄ  ｐ２７ｒｅｘ  ｐｒｏｔｅｉｎｓ  ｉｎ  ＨＴＬＶ-１-ａｓｓｏｃｉａｔｅｄ  ｎｏｎ-ｎｅｏｐｌａｓｔｉｃ  ｌｙｍｐｈａｄｅｎｏｐａｔｈｙ  （ＨＡＮＮＬＡ）  ｗｉｔｈ  ｅｓｔｉｍａｔｉｏｎ  ｏｆ  ＨＴＬＶ-１  ｄｏｓｅ  ｂｙ  ｐｏｌｙｍｅｒａｓｅ  ｃｈａｉｎ  ｒｅａｃｔｉｏｎ．  ＤＥＮＤＲＩＴＩＣ  ＣＥＬＬＳ  １９９７  Ｊａｐａｎｅｓｅ  Ｄｅｎｄｒｉｔｉｃ  Ｃｅｌｌ  Ｓｏｃｉｅｔｙ  ７：１９-２７．(以下、非特許文献５という。)）。この非特許文献５には、〔非特許文献２〕のＩｍｍｕｎｏＭａｘ法で、内因性ビオチンによる非特異反応があり、従来発表されているアビチン溶液とビオチン溶液でのビオチンのマスクを導入し、反応後の洗浄条件を変えることで、超高感度免疫組織化学染色が可能であるとの記載がある。（蓮井和久  平成１０年度〜平成１１年度科学研究費補助金（基盤研究（Ｃ）（２））研究成果報告書  ＨＴＬＶ-１関連疾患のＨＴＬＶ-１超高感度組織科学的検出法による研究（課題番号  １０６７０１６６））(以下非特許文献６という)。この文献には、平成１２年３月  ｐ．３-９では、ＨＲＰによるビオチン化タイラマイドの沈着反応による標識の増幅が１０００倍であること、内印性ビオチンのマスク法の超高感度免疫染色法への至適導入部、各超高感度免疫組織科学的染色の反応後の洗浄、後固定の非特異反応抑制条件等の記載がある。
【００１６】
免疫組織化学的染色法の洗浄液は、リン酸緩衝液、トリス緩衝液、界面活性剤を加えたトリス緩衝液が用いられる。免疫組織化学的染色では、各反応後に、５分間３回の洗浄が行われる。非特許文献５と非特許文献６に、超高感度免疫組織化学的染色方法では、それに含まれるｓＡＢＣ法では充分な反応後の洗浄が必要であり、ＣＡＲＤのビオチン化タイラマイドの沈着は非特異なものであるので、非沈着ビオチン化タイラマイドの残留を除く洗浄と沈着ビオチン化タイラマイドのＨＲＰ標識ストレプトアビチンによる標識後のある程度の洗浄が必要になることの記載がある。また、非特許文献５と非特許文献６に、キャピラリーギャップ法の染色装置を用いた場合には、ｓＡＢＣ法の充分な洗浄は３５℃に加熱した界面活性剤を加えたトリス緩衝液で、ＨＲＰによるビオチン化タイラマイド沈着反応後は室温トリス緩衝液での洗浄が必要であるとの記載がある。
【００１７】
一方、免疫組織化学的染色法の基準化の為に、自動免疫染色装置が普及してきている。キャピラリーギャップ法と呼ばれる２枚の固定組織標本切片のスライドグラスを向き合わせ、その間に毛細管現象を利用して反応液や洗浄液を吸い上げ、反応ないし洗浄後に吸収材で溶液を吸収する。この操作をコンピューター制御するものである。また、コンピューター制御で、反応液や洗浄液を所定の場所からマイクロポンプで吸引し、水平に配置した固定組織標本切片のスライドグラスに反応液や洗浄液を滴下する滴下型がある。この滴下型の自動免疫染色装置の染色方法は用手法と同じもので、普及して来ている。更に、加熱温度制御の出来る基盤の上に、基盤に固定組織標本切片を対面させてスライドガラスをセットし、反応液や洗浄液を基盤とスライドガラスの間に送り、温度制御下で諸反応と洗浄を行う自動免疫装置も出現している。
【００１８】
自動免疫染色装置は、コンピューター制御下の装置で、組織化学的染色方法を実施するものである。組織標本の切片を貼付したスライドの装置へのセットの方法で、二枚のスライドを狭い間隙で重ね、その間に毛細管現象で反応試薬等は入ってくるキャピラリーギャップ法とその変法、スライドに反応試薬等を滴下する滴下型がある。また、免疫組織染色方法の各反応の時間、各反応後の洗浄の方法等をコンピューターのプログラムとして供給されているものと、各反応の試薬の各スライドへの分配、各反応の時間、各反応後の洗浄方法を、任意に設定できるものがある。前者は、特定の免疫組織化学的方法を実施するもの（固定型装置）であり、一般に、その試薬や洗浄液等が共に供給されることが多い。後者は、その使用者の設定した免疫組織化学的染色法を実施させることが可能なもの（自由型装置）がある。米国特許第  ６，３４９，２６４号（以下、特許文献３という）では、コンピューター制御による水平に配列したスライドへの滴下方式での自動免疫染色装置の記載がある。この特許文献３に、この自由型装置の記載がある。また、Ａｐｐｌ  Ｉｍｍｕｎｏｈｉｓｔｏｃｈｅｍ  Ｍｏｌ  Ｍｏｒｐｈｏｌ．  ２００１  Ｍａｒ（以下、非特許文献７という）では、抗原回復を加熱式攪拌装置での熱処理による抗原回復法と従来発表されているアビチン溶液とビオチン溶液でのビオチンのマスクを導入した超高感度免疫染色法（ＣＳＡ法）の自動免疫染色装置での実施が可能であるとの記載がある。この非特許文献７には、この自動免疫染色装置での超高感度の免疫組織化学的染色が可能であると記載されている。ｈｔｔｐ：／／ｗｗｗ．ｖｅｎｔａｎａｄｉｓｃｏｖｅｒｙ．ｃｏｍ／ｐｒｏｄｕｃｔ／ｉｎｄｅｘ．ｈｔｍｌ（以下、非特許文献８という）では、加熱温度制御の出来る基盤の上に、基盤に対応する面に固定組織標本切片が来る形でスライドグラスをセットし、反応液や洗浄液を基盤とスライドグラスの間に送り、温度制御下で諸反応と洗浄を行う自動免疫装置（Ｔｈｅ  Ｖｅｎｔａｎａ  Ｄｉｓｃｏｖｅｒｙ）の記載がある。この非特許文献８には、加熱温度制御の出来る基盤の上に、基盤に対面して固定組織標本切片のスライドガラスをセットし、反応液や洗浄液を基盤とスライドガラスの間に送り、温度制御下で諸反応と洗浄を行う自動免疫装置の記載がある。
【００１９】
【特許文献１】特開２００１-１８１２９９号公報（株式会社ニチレイ、平成１３（２００１）年７月３日、酵素−タンパク質複合体）。
【特許文献２】米国特許第  ５，７３１，１５８  号公報明細書  （Ｂｏｂｒｏｗ，  ｅｔ  ａｌ．  Ｍａｒｃｈ  ２４，  １９９８，  Ｃａｔａｌｙｚｅｄ  ｒｅｐｏｒｔｅｒ  ｄｅｐｏｓｉｔｉｏｎ）。
【特許文献３】米国特許第  ６，３４９，２６４号公報明細書  （Ｒｈｅｔｔ，  ｅｔ  ａｌ．  Ｆｅｂｒｕａｒｙ  １９，  ２００２  Ｍｅｔｈｏｄ  ａｎｄ  ａｐｐａｒａｔｕｓ  ｆｏｒ  ａｕｔｏｍａｔｉｃ  ｔｉｓｓｕｅ  ｓｔａｉｎｉｎｇ）。
【特許文献４】米国特許第  ５，８６９，２７４  号公報明細書  （Ｔｓａｏ，  ｅｔ  ａｌ．  Ｆｅｂｒｕａｒｙ  ９，  １９９９  Ｉｍｍｕｎｏ-ｈｉｓｔｏｃｈｅｍｉｃａｌ  ｍｅｔｈｏｄ  ｔｈａｔ  ｒｅｄｕｃｅｓ  ｂａｃｋｇｒｏｕｎｄ  ｓｔａｉｎｉｎｇ  ）。
【特許文献５】米国特許第  ６，２０３，９８９号公報明細書  （Ｇｏｌｄｂｅｒｇ  ，  ｅｔ  ａｌ．  Ｍａｒｃｈ  ２０，  ２００１  Ｍｅｔｈｏｄｓ  ａｎｄ  ｃｏｍｐｏｓｉｔｉｏｎｓ  ｆｏｒ  ａｍｐｌｉｆｙｉｎｇ  ｄｅｔｅｃｔａｂｌｅ  ｓｉｇｎａｌｓ  ｉｎ  ｓｐｅｃｉｆｉｃ  ｂｉｎｄｉｎｇ  ａｓｓａｙｓ  ）。
【非特許文献１】改訂四版  渡辺・中根  酵素抗体法  名倉宏、長村義之、堤寛編  学際企画  ２０００２．２．１８発刊
【非特許文献２】ザイメッド社のホームページ（ｈｔｔｐ：／／ｗｗｗ．ｚｙｍｅｄ．ｃｏｍ／）のＮＢＡ  ｋｉｔ（非ビオチン法のキット）のページ（ｈｔｔｐ：／／ｗｗｗ．ｚｙｍｅｄ．ｃｏｍ／ｐｉｎｄｅｘ／ｉｎｄｅｘ９．ｈｔｍｌ）
【非特許文献３】Ｂｏｂｒｏｗ  ＭＮ，  Ｈａｒｒｉｓ  ＴＤ，  Ｓｈａｕｇｈｎｅｓｓｙ  ＫＪ，  Ｌｉｔｔ  ＧＪ．  Ｃａｔａｌｙｚｅｄ  ｒｅｐｏｒｔｅｒ  ｄｅｐｏｓｉｔｉｏｎ，  ａ  ｎｏｖｅｌ  ｍｅｔｈｏｄ  ｏｆ  ｓｉｇｎａｌ  ａｍｐｌｉｆｉｃａｔｉｏｎ．  Ａｐｐｌｉｃａｔｉｏｎ  ｔｏ  ｉｍｍｕｎｏａｓｓａｙｓ．  Ｊ-Ｉｍｍｕｎｏｌ-Ｍｅｔｈｏｄｓ．  １９８９  Ｄｅｃ  ２０；  １２５（１-２）：  ２７９-８５。
【非特許文献４】Ｍｅｒｚ  Ｈ，  Ｍａｌｉｓｉｕｓ  Ｒ，  Ｍａｎｎｗｅｉｌｅｒ  Ｓ，  Ｚｈｏｕ  Ｒ，  Ｈａｒｔｍａｎｎ  Ｗ，  Ｏｒｓｃｈｅｓｃｈｅｋ  Ｋ，  Ｍｏｕｂａｙｅｄ  Ｐ，  Ｆｅｌｌｅｒ  ＡＣ  （１９９５）  ＩｍｍｕｎｏＭａｘ．  Ａ  ｍａｘｉｍｉｚｅｄ  ｉｍｍｕｎｏｈｉｓｔｏｃｈｅｍｉｃａｌ  ｍｅｔｈｏｄ  ｆｏｒ  ｔｈｅ  ｒｅｔｒｉｅｖａｌ  ａｎｄ  ｅｎｈａｎｃｅｍｅｎｔ  ｏｆ  ｈｉｄｄｅｎ  ａｎｔｉｇｅｎｓ．  Ｌａｂ  Ｉｎｖｅｓｔ．  Ｔｈｅ  Ｕｎｉｔｅｄ  Ｓｔａｔｅｓ  ａｎｄ  Ｃａｎａｄｉａｎ  Ａｃａｄｅｍｙ  ｏｆ  Ｐａｔｈｏｌｏｇｙ．  ＬＷＷ，  Ｌｉｐｐｉｎｃｏｔｔ  Ｗｉｌｌｉａｍｓ  ａｎｄ  Ｗｉｌｋｉｎｓ  ｐｕｂｌｉｓｈｅｓ  １９９５  Ｊｕｌ；７３（１）：１４９-５６．。
【非特許文献５】Ｈａｓｕｉ  Ｋ，  Ｓａｔｏ  Ｅ，  Ｔａｎａｋａ  Ｙ，  Ｙａｓｈｉｋｉ  Ｓ，  Ｉｚｕｍｏ  Ｓ．  （１９９７）  Ｑｕａｎｔｉｔａｔｉｖｅ  ｈｉｇｈｌｙ-ｓｅｎｓｉｔｉｖｅ  ｉｍｍｕｎｏｈｉｓｔｏｃｈｅｍｉｓｔｒｙ  （Ｍｏｄｉｆｉｅｄ  ＩｍｍｕｎｏＭａｘ）  ｏｆ  ＨＴＬＶ-１  ｐ４０ｔａｘ  ａｎｄ  ｐ２７ｒｅｘ  ｐｒｏｔｅｉｎｓ  ｉｎ  ＨＴＬＶ-１-ａｓｓｏｃｉａｔｅｄ  ｎｏｎ-ｎｅｏｐｌａｓｔｉｃ  ｌｙｍｐｈａｄｅｎｏｐａｔｈｙ  （ＨＡＮＮＬＡ）  ｗｉｔｈ  ｅｓｔｉｍａｔｉｏｎ  ｏｆ  ＨＴＬＶ-１  ｄｏｓｅ  ｂｙ  ｐｏｌｙｍｅｒａｓｅ  ｃｈａｉｎ  ｒｅａｃｔｉｏｎ．  ＤＥＮＤＲＩＴＩＣ  ＣＥＬＬＳ  １９９７  Ｊａｐａｎｅｓｅ  Ｄｅｎｄｒｉｔｉｃ  Ｃｅｌｌ  Ｓｏｃｉｅｔｙ  ７：１９-２７。
【非特許文献６】蓮井和久  平成１０年度〜平成１１年度科学研究費補助金（基盤研究（Ｃ）（２））研究成果報告書  ＨＴＬＶ-１関連疾患のＨＴＬＶ-１超高感度組織科学的検出法による研究（課題番号  １０６７０１６６）。
【非特許文献７】Ｈａｓｈｉｚｕｍｅ  Ｋ，  Ｈａｔａｎａｋａ  Ｙ，  Ｋａｍｉｈａｒａ  Ｙ，  Ｔａｎｉ  Ｙ．  Ａｕｔｏｍａｔｅｄ  ｉｍｍｕｎｏｈｉｓｔｏｃｈｅｍｉｃａｌ  ｓｔａｉｎｉｎｇ  ｏｆ  ｆｏｒｍａｌｉｎ-ｆｉｘｅｄ  ａｎｄ  ｐａｒａｆｆｉｎ-ｅｍｂｅｄｄｅｄ  ｔｉｓｓｕｅｓ  ｕｓｉｎｇ  ａ  ｃａｔａｌｙｚｅｄ  ｓｉｇｎａｌ  ａｍｐｌｉｆｉｃａｔｉｏｎ  ｍｅｔｈｏｄ．  Ａｐｐｌ-Ｉｍｍｕｎｏｈｉｓｔｏｃｈｅｍ-Ｍｏｌ-Ｍｏｒｐｈｏｌ．  ２００１  Ｍａｒ；  ９（１）：  ５４-６０。
【非特許文献８】ｈｔｔｐ：／／ｗｗｗ．ｖｅｎｔａｎａｄｉｓｃｏｖｅｒｙ．ｃｏｍ／ｐｒｏｄｕｃｔ／ｉｎｄｅｘ．ｈｔｍｌ。
【発明の開示】
【発明が解決しようとする課題】
【００２０】
しかしながら、sABC法とCARDによる超高感度の免疫組織化学的染色法は、非特許文献５、非特許文献６に記載された内因性ビオチンのマスク法を導入し、更に、非特許文献６に記載された自動免疫染色装置への導入が行われているが、この内因性ビオチンのマスクでは内因性ビオチンによる非特異反応の抑制は完全には達成できない。ここで、内因性ビオチンとは、組織切片中の細胞等に分布するビオチンを意味する。このような内因性ビオチンは、ある程度各組織の細胞中に存在するが、特に、内因性ビオチンの含有量が高いのは、肝臓や甲状腺である。この内因性ビオチンによる非特異反応を回避すべく開発され非特許文献１のp.158と非特許文献２に記載された非ビオチン法とCARDによる超高感度の免疫染色法の抗原検出感度は、sABC法とCARDによる超高感度の免疫組織化学的染色の方法より低いという問題も存在する。
【００２１】
そこで、本発明は、検出感度を落とすことなく、内因性ビオチン等による非特異反応の抑制を達成し超高感度の免疫組織化学的染色方法による抗原の検出方法を提供するものである。
【課題を解決するための手段】
【００２２】
本発明者は、非特異的反応の抑制に着目し鋭意研究の結果、２次抗体とHRPとのポリマー試薬反応を特異抗体の標識に導入することで、上記課題を解決した。
【００２３】
すなわち、本発明の抗原の検出方法は、固定組織標本切片中の抗原を検出する超高感度の免疫組織化学的染色方法による抗原の検出方法であって、前記抗原と一次抗体とを結合させて、二次抗体及び西洋ワサビぺルオキシダーゼ(以下、HRPともいう)を含むポリマー複合体と、前記結合した一次抗体とを結合させて、前記西洋ワサビぺルオキシダーゼによる標識タイラマイドの沈着反応の標識物を可視化することによって、抗原を検出することを特徴とする。
【００２４】
また、本発明の抗原の検出方法の好ましい実施態様において、前記ポリマー複合体と前記結合した一次抗体との反応前に、非特異反応を抑制する処理を行うことを特徴とする。
【００２５】
また、本発明の抗原の検出方法の好ましい実施態様において、前記ポリマー複合体と前記結合した一次抗体との反応後に、非特異反応を抑制する処理を行うことを特徴とする。
【００２６】
また、本発明の抗原の検出方法の好ましい実施態様において、前記標識タイラマイドの沈着反応前に、非特異反応を抑制する処理を行うことを特徴とする。
【００２７】
また、本発明の抗原の検出方法の好ましい実施態様において、前記非特異反応を抑制する処理が、二次抗体と同種の動物血清による処理、スキンミルクによる処理、ノンファットミルクによる処理、及びガゼイン溶液による処理からなる群から選択される少なくとも1種であることを特徴とする。
【００２８】
また、本発明の抗原の検出方法の好ましい実施態様において、前記カゼイン処理を、０．０２５〜２．５％の範囲のカゼインを含む溶液により行なうことを特徴とする。
【００２９】
また、本発明の抗原の検出方法の好ましい実施態様において、さらに、非特異反応生成物、及びその他の残存反応物を除去するために、加熱した洗浄液によって洗浄する工程を含む、ことを特徴とする。
【００３０】
また、本発明の抗原の検出方法の好ましい実施態様において、前記加熱した洗浄液の温度が、２５〜６０℃の範囲内であることを特徴とする。
【００３１】
また、本発明の抗原の検出方法の好ましい実施態様において、前記標識物が、可視化することができる物質であることを特徴とする。
【００３２】
また、本発明の抗原の検出方法の好ましい実施態様において、前記可視化することができる物質が、ビオチン、蛍光物質の少なくとも一つを含むものであることを特徴とする。
【００３３】
また、本発明の抗原の検出方法の好ましい実施態様において、蛍光物質が、フルオレスセンス・イソチアネ−トであることを特徴とする。
【００３４】
また、本発明の抗原の検出方法の好ましい実施態様において、反応液、反応時間、及び洗浄回数をプログラムして自動免疫装置に組み込み、自動化して行なうことを特徴とする。
【発明の効果】
【００３５】
西洋ワサビペルオキシダーゼによる標識タイラマイドの沈着反応（CARD）とその標識物の検出を含む超高感度の免疫組織化学的染色法の抗原検出感度は、CARDの前に実施する間接的免疫組織化学的染色法の1000倍となる。現在の光顕的免疫組織化学的染色で検出されている蛋白等は、病態での異常高発現ないし生理的に多量に存在するものであるとの理解がある。超高感度免疫組織化学的染色法の光顕的免疫組織化学的染色への導入は、特異な微量蛋白の検出や生理的な蛋白の発現の検出を可能にすることが期待されている。
【００３６】
本発明は、超高感度の免疫組織化学の実用への大きな契機となると考えられる。
【発明を実施するための最良の形態】
【００３７】
まず、本発明の抗原の検出方法について概略を説明すれば、以下のようになる。
【００３８】
基本的には、抗原回復処理(この処理は必須ではないが、抗原の抗原性をより高め、ひいては、目的抗原を検出しやすくするのに用いられる。)、洗浄、内因性ペプオキしダーゼ活性の抑制、特異抗体反応(一次抗体と第一抗原との抗原抗体反応)、前記抗原抗体反応した一次抗体と酵素を含む二次抗体との結合(複合体の形成)、第一抗原の同定、の各工程からなる。この工程中に、適宜洗浄、非特異反応抑制処理を行いより高感度な検出を可能にせんとするものである。
【００３９】
本発明の抗原の検出方法は、固定組織標本切片中の抗原を検出する超高感度の免疫組織化学的染色方法による抗原の検出方法である。ここで、固定組織（パラフィン包埋）標本切片について説明すると、固定組織（パラフィン包埋）標本とは、生物組織から切り出され、固定化された標本のことで、例えば、１０％緩衝ホルマリン液等で化学固定され、濃度が漸増するエタノール溶液系列で水分が除かれ、１００％キシレン等で浸透され、６０℃前後の溶解したパラフィン等の溶液で浸透され、低温下でパラフィン等で固化された標本をいう。固定組織（パラフィン包埋）標本切片は、通常、薄切装置で作成されたその標本の３ミクロン前後の厚さの切片で、適切に処理されたスライドに貼付されている。固定組織パラフィン標本切片が免疫組織化学的染色に供される時には、１００％キシレンに浸透することでパラフィンを除き、１００％エタノールでそのキシレンを置換した後に、リン酸緩衝液等に浸透して、親水化される。
【００４０】
内因性ペルオキシダーゼ活性の抑制は、化学固定やその後の組織の処理でも活性を失わない組織中の細胞の有するペプオキシダーゼの活性を抑制するものであり、たとえば、以下の処理を行なう。固定組織パラフィン標本切片から１００％キシレンでパラフィンを除き、キシレンを１００％エタノールで除いた後に、０．０３〜1％過酸化水素メタノール溶液に１０〜３０分間浸すか、固定組織パラフィン標本切片を親水化した後に、１〜５％過酸化水素含有０．０１Mリン酸緩衝食塩水ｐH7.2に５〜１０分間浸す。これは、非特許文献１のp113、非特許文献5及び６、並びに、ダコサイトメーション社から供給されているCSAキットにも含まれている。
【００４１】
また、本発明は、２次抗体とHRPとのポリマー試薬とその非特異反応抑制処理(例えば、カゼイン溶液による前処理)を超高感度免疫組織化学的染色法のsABC法と置換することにより、新規な検出感度を低下させずに内因性非特異反応の無い超高感度免疫組織化学的染色法を開発したものであるともいえる。
【００４２】
次に、本発明の方法の原理について説明すれば、以下のようになる。本発明を含む免疫組織化学的染色法で形成され光学顕微鏡下で識別される産物の概念図を図１に示す。従来のsABC法とCARDと沈着したビオチン化タイラマイドの可視化による超高感度の免疫組織化学的染色法で産生される光学顕微鏡で識別される産物は、抗原、一次抗体、ビオチン化二次抗体、HRP標識ストレプトアビチンで形成される複合体の周囲にCARDで沈着したビオチン化タイラマイドとそれを標識したHRP標識ストレプトアビチンとそのHRPの呈色産物（ジアミノベンチジン）から構成される。
【００４３】
一方、本発明の超高感度の免疫組織化学的染色の産物は、抗原、一次抗体、二次抗体とHRPとポリマーで形成される複合体の周囲にCARDで沈着したビオチン化タイラマイドとそれを標識したHRP標識ストレプトアビチンとそのHRPの呈色産物（ジアミノベンチジン）から構成される。従って、この発明の超高感度の免疫組織化学的染色の産物は構成が従来のものとは異なる新規なものである。すなわち、本願発明の1つの特徴として、二次抗体として、ビオチン化していないものを使用した点にある。これは、本発明者の鋭意研究の結果、ビオチン化した二次抗体を用いると検出反応が余分に生じ、工程が増えるということ、当該ビオチン化二次抗体のビオチンによって非特異反応が生じること、からである。すなわち、ビオチン化二次抗体を用いない場合には、工程が簡略化され、さらには、抗原の検出感度に影響を及ぼす非特異反応を抑制するという利点を有する。
【００４４】
本発明においては、固定組織標本切片中の抗原と一次抗体とを結合させて、二次抗体と西洋ワサビぺルオキシダーゼとのポリマー複合体と、前記結合した一次抗体とを結合させて、前記西洋ワサビぺルオキシダーゼによる標識タイラマイドの沈着反応の標識物を可視化することによって、抗原を検出する。ここで、二次抗体及び西洋ワサビぺルオキシダーゼを含むポリマー複合体を用いたのは、上述のように従来のビオチン化二次抗体によるビオチンの使用による弊害を除去しようとするものである。西洋ワサビペルオキシダーゼによる標識タイラマイドの沈着反応については、常法により、特に限定されるものではない。
【００４５】
また、沈着反応の標識物は、免疫染色された標本の観察に光学顕微鏡、蛍光顕微鏡、又はレーザー共焦点顕微鏡などが用いられるという観点から、可視化できる物質が好ましい。また、好ましい実施態様において、前記可視化することができる物質が、ビオチン、蛍光物質の少なくとも一つを含むものを挙げることができる。また、蛍光物質としては、フルオレスセンス・イソチアネ−を挙げることができる。
【００４６】
本発明においては、適宜非特異反応抑制処理を行なうことが好ましい。これは、当該非特異反応抑制処理によって、一次抗体と非特異的に結合する非特異的結合物質へ被膜し、前記一次抗体と非特異的結合物質との結合を抑制することが可能である。
【００４７】
ここで、非特異反応抑制処理とは、広く、一次抗体と、非特異反応結合物質との結合を抑制する処理を意図し、このような作用があれば、特に限定されるものではない。このような非特異反応抑制処理として、例えば、カゼインによる処理、二次抗体と同種の動物血清、スキンミルク乃至ノンファットミルク、からなる群から選択される少なくとも1種を挙げることができる。スキンミルク、ノンファットミルクは、特に血清中の酵素等の活性を避ける為にも用いることができる。
【００４８】
また、前記カゼイン処理を、０．０２５〜２．５％の範囲のカゼインを含む溶液により行なうことが好ましい。このような範囲としたのは、さらに好ましくは、０．１〜１．０％の範囲、最も好ましくは、０．２５％±０．１％である。
【００４９】
非特異反応を抑制する処理は、好ましくは、前記ポリマー複合体と前記結合した一次抗体との反応前、前記ポリマー複合体と前記結合した一次抗体との反応後、前記標識タイラマイドの沈着反応前に行う。それぞれ、前記ポリマー複合体と前記結合した一次抗体の反応の前での非特異的反応を抑制する処理は、一次抗体を抗原として二次抗体の特異な抗原抗体反応のみを反応産物として残し、後者は標識タイラマイドの異化反応を生じる部位をポリマー複合体の西洋ワサビペプオキシダーゼ存在部に限定し、異化標識タイラマイドの沈着を西洋ワサビペルオキシダーゼ存在部に限局させるという観点からである。
【００５０】
本発明の抗原の検出方法では、さらに、非特異反応生成物、及びその他の残存反応物を除去するために、加熱した洗浄液によって洗浄する工程を含んでもよい。
【００５１】
また、本発明の抗原の検出方法の好ましい実施態様において、さらに、非特異反応生成物、及びその他の残存反応物を除去するために、加熱した洗浄液によって洗浄する工程を含む。この工程において、非特異的反応生成物及び残存反応物を除去することができる。また、前記加熱した洗浄液の温度が、２５〜６０℃の範囲内であることを特徴とする。かかる温度範囲では、抗原抗体反応が起こり、ひいては、非特異的反応生成物及び残存反応物の充分な除去が可能となる。
【００５２】
また、本発明の抗原の検出方法の好ましい実施態様において、反応液、反応時間、及び洗浄回数をプログラムして自動免疫装置に組み込み、自動化して行なうことができる。
【００５３】
すなわち、市販の自動免疫組織化学的染色装置に、上記反応液、反応時間、及び洗浄回数などの情報をプログラムして導入し、自動化して行なうことができる。
【実施例】
【００５４】
以下、本発明を実施例によりさらに具体的に説明するが、本発明は、下記実施例に限定して解釈される意図ではない。
【００５５】
本発明の超高感度の免疫組織化学的染色法は、次ぎの１６工程により実施する。固定組織パラフィン切片を、
キシレンとエタノールにそれぞれ３〜５回、３〜２０分間浸すことでパラフィンを除き、
２）0.3〜６% 過酸化水素水メタノール溶液に５〜３0分間浸し、一次の内因性ぺルオキシダーゼの活性の抑制を行い、
３）0.0０５〜０．０２Mリン酸緩衝液0. 5〜１％塩化ナトリウム溶液（PBS）で洗浄し、固定組織標本切片の親水化を行い、
４）抗原に対応した抗原回復処理（一般的には、0.0０１〜０．０２Mクエン酸緩衝液等に切片を浸し、オートクレーブで1１０〜１４０℃、１〜１５分間の熱処理を行い、冷却後に、PBSに浸す。）を行い、
５）自動免疫染色装置に固定組織標本切片を配置し、
６）0.3〜６%過酸化水素水PBSに１〜１５分間反応させ、二次の内因性ぺルオキシダーゼの活性の抑制を行い、２5〜６０℃に加熱した0.０1〜０．２% ポリオキシエチレンソルビタンモノラウレート (tween 20)を含む0. 5〜１％塩化ナトリウムを加えた0.0１〜０．１Mトリス緩衝液（TBS）洗浄液で１〜４回洗浄し、
７）0.１〜１％カゼイン溶液に２〜３０分間反応させ、抗原特異（一次）抗体の非特異反応の抑制前処理を行い、
８）それぞれ一次抗体の至適希釈溶液と至適反応時間（1３分間〜２時間）で反応させた後、２5〜６０℃に加熱したTBS洗浄液で２〜５回洗浄し、
９）0.１〜１％カゼイン溶液に２〜３０分間反応させ、特異ポリマー試薬反応の非特異反応の抑制前処理を行い、
１０）ポリマー試薬を1０分間〜１時間反応させ、２5〜６０℃前後に加熱したTBS洗浄液で２〜５回洗浄し、
１１）０．１〜1％ガゼイン溶液に２〜３０分間反応させ、ビオチンないし蛍光物質で標識されたタイラマイド試薬反応の非特異反応の抑制処理を行い、
１２）ビオチンないし蛍光物質で標識されたタイラマイド試薬と1０〜３０分間反応させ、２5〜６０℃前後に加熱したTBS洗浄液で２〜４回洗浄し、
１３）ストレプトアビチンないし蛍光物質と特異的に反応する抗体と西洋ワサビぺルオキシダーゼ等の酵素ないし蛍光物質の複合体溶液と1０分間〜１時間反応させ、２5〜６０℃前後に加熱したTBS洗浄液で２〜４回洗浄する。
【００５６】
１４）対応した酵素の発色剤（HRPであればヂアミノベンチジン等と過酸化水素）の溶液で呈色反応させ、水で１〜３回洗浄し、
１５）ヘマトキシン等の溶液で、後対比染色を行い、水で１〜３回洗浄し、
１６）自動免疫染色装置から固定組織標本切片を外し、
１７）封入剤に対応した処理を行い、超高感度免疫染色を行った固定組織標本パラフィン切片を永久標本とし、光学顕微鏡下での抗原の検出となる。
【００５７】
１１）の過程で、蛍光物質で標識したタイラマイド試薬を１２）で用いる場合には、０．１〜１％ガゼイン溶液に２〜３０分間反応させ、ビオチンないし蛍光物質で標識されたタイラマイド試薬反応の非特異反応の抑制処理を行なった後、２５〜６０℃に加熱したTBS洗浄液で、１〜３回洗浄する。
【００５８】
１３）の過程で、ストレプトアビチンないし蛍光物質と特異的に反応する抗体と蛍光物質の複合体溶液を用いる場合、その後に、蛍光物質による核等の対比染色を実施するか、実施せずに、染色は終了し、蛍光顕微鏡下での抗原の検出となる。
【００５９】
本発明として、別法により一次抗体を反応させ、洗浄した後に、工程９から工程１３を実施することが重要な点である。
【００６０】
自動化としては、工程５から工程１５までの各反応液、反応時間、洗浄回数をプログラムして自動免疫染色装置に組み込み、染色を基準化することを挙げることができる。
【００６１】
＜発明の実施の形態の溶液等の説明＞
＜キシレン＞
キシレンは、特級キシレンを用いる。
＜エタノール＞
エタノールは、特級エタノールを用いる。
【００６２】
＜0.3% 過酸化水素水メタノール溶液＞
特級過酸化水素水（30％溶液）を、特級メタノールで100倍希釈したものを用いる。
【００６３】
＜0.01Mリン酸緩衝液0.85％塩化ナトリウム溶液（PBS）＞
28.7gのリン酸水素第二ナトリウム・12水と3.3gのリン酸第二水素ナトリウム二水和物を１Lのイオン交換水に溶解した0.1Mリン酸緩衝液に、85gの塩化ナトリウムを加え、オートクレーブで完全に溶解し室温まで冷却し、10N 水酸化ナトリウム水でpHを7.6に調整したものを10倍溶液として、使用時に10倍にイオン交換水で希釈する。
【００６４】
＜0.01Mクエン酸緩衝液等＞
2.1gのクエン酸・一水和物と2.94gクエン酸三ナトリウム・二水和物を100 mlのイオン交換水にオートクレーブで加熱し溶解し、10N 水酸化ナトリウム水でpHを6.0に調整し、イオン交換水で100mlに調節したものを10倍溶液とし、使用時に10倍にイオン交換水で希釈する。商業的には、10倍溶液がDakoCytomation Co.やダイヤトロンから供給されている。その他に、抗原回復には、
【非特許文献７】のp.114に記載されている1mM EDTA溶液 pH 8.0、などが用いられ、DakoCytomation Co.から供給されている。
【００６５】
＜3% 過酸化水素水PBS＞
特級過酸化水素水（30％溶液）を、28.7gのリン酸水素第二ナトリウム・12水と3.3gのリン酸第二水素ナトリウム二水和物を１Lのイオン交換水に溶解した0.1Mリン酸緩衝液に、85gの塩化ナトリウムを加え、オートクレーブで完全に溶解し室温まで冷却し、10N 水酸化ナトリウム水でpHを7.6に調整したものを10倍溶液として、使用時に10倍にイオン交換水で希釈する0.01Mリン酸緩衝液0.85％塩化ナトリウム溶液（PBS）で100倍に希釈する。
【００６６】
＜35℃前後に加熱した0.1%ポリオキシエチレンソルビタンモノラウレート (tween 20)を含む0.825塩化ナトリウム加0.05Mトリス緩衝液（TBS）洗浄液＞
121.1gのトリスハイドロオキシメチルアミノメタン（シグマ社）を800mlのイオン交換水で希釈しオートクレーブで加熱溶解後に、1N塩酸でpHを7.5に調整し、イオン交換水で1Lにした1Mトリス溶液500mlと、292.2gの塩化ナトリウムを800mlのイオン交換水でオートクレーブ加熱溶解しイオン交換水で1Lにした5M塩化ナトリウム溶液360mlを、イオン交換水で20Lに希釈し、0.1％ポリオキシエチレンソルビタンモノラウレート (tween 20)とした溶液。自動免疫染色装置の洗浄液タンクに入れて、35℃前後に加熱したものである。
【００６７】
＜0.25％カゼイン溶液＞
25mgのカゼイン（シグマ社）を28.7gのリン酸水素第二ナトリウム・12水と3.3gのリン酸第二水素ナトリウム二水和物を１Lのイオン交換水に溶解した0.1Mリン酸緩衝液に、85gの塩化ナトリウムを加え、オートクレーブで完全に溶解し室温まで冷却し、10N 水酸化ナトリウム水でpHを7.6に調整したものを10倍溶液として、使用時に10倍にイオン交換水で希釈する0.01M PBSの10 mlに希釈したもの。商業的には、DakoCytomation Co.から供給されている。
【００６８】
＜ポリマー試薬＞
デキストランポリマーに直接二次抗体とHRPを結合させた試薬で、DakoCytomation Co.から商業的にダコ ChemMate ENVISION試薬として供給されている。
【００６９】
＜ビオチンないし蛍光物質で標識されたタイラマイド試薬＞
ビオチン化タイラマイドと過酸化水素水の試薬で、DakoCytomation Co.からはダコCSA Systemの増幅試薬として、パーキンエルマーライフサイエンスジャパン株式会社からはTSA免疫組織化学染色・in situ Hybridization増感システムのキットの増幅試薬として供給されている。
【００７０】
＜ストレプトアビチンと西洋ワサビぺルオキシダーゼ等の酵素ないし蛍光物質の複合体溶液＞
ビオチンないし蛍光物質で標識されたタイラマイド試薬に対応した沈着したタイラマイドを標識する試薬。HRP標識タイラマイドであればストレプトアビチンと西洋ワサビペルオキシダーゼ等複合体溶液は、DakoCytomation Co.からはダコCSA Systemの酵素標識試薬として供給されている。パーキンエルマーライフサイエンスジャパン株式会社からはTSA免疫組織化学染色・in situ Hybridization増感システムのキットの酵素や蛍光物質標識試薬として供給されている。
【００７１】
＜対応した酵素の発色剤（HRPであればヂアミノベンチジン等と過酸化水素）の溶液＞
酵素の発色基質溶液。商業的に、種々のものが供給されている。
【００７２】
＜ヘマトキシン等の溶液＞
上記の発色色素と区別できる色素溶液を用いた核ないし細胞質の染色で、後対比染色を行う。一般的には、ヘマトキシリン溶液が用いられる。DakoCytomation Co.から自動免疫染色装置での染色用にダコ ChemMateヘマトキシリン試薬が供給されている。
【００７３】
＜封入剤に対応した処理＞
発色基質に合わせて、ジアミノベンチジンであれば、エタノール系列に浸しての脱水後に、プラスチック封入剤で封入し、長期の保存に耐える永久標本を作成する。3-アミノ-9-エチルカルバゾールでの発色では、DakoCytomation Co.から供給されるUltramount試薬で、70℃での加熱固化で永久標本を作成する。ベクター社の種々の発色基質では、冷風による乾燥後に、VectaMount封入剤で封入し乾燥固化し、永久標本を作成する。
【００７４】
実施例１
sABC法とHRPによるCARD反応とその検出からなる超高感度免疫組織化学の方法(DAKO CSA system, DakoCytomation Co)を自動免疫染色装置で実施し、各反応後の洗浄に、35℃加熱0.1％tween20界面活性剤添加トリス緩衝液（TBS）洗浄液を用い、洗浄回数と洗浄効果の関係の検討を行った。その結果、sABC法の各洗浄は35℃加熱0.1％tween20界面活性剤添加TBSによる三回の洗浄が、HRPによるCARD反応とその検出の反応後の洗浄は35℃加熱0.1％tween20界面活性剤添加TBSによる二回の洗浄が、至適な洗浄であることが示された。
【００７５】
実施例２
洗浄は実施例１で示した至適洗浄法で、従来の超高感度の免疫組織化学の方法を種々の臓器の固定組織パラフィン標本切片で自動免疫染色装置を使い実施した。
【００７６】
１）熱処理にて抗原回復を行わない固定組織パラフィン標本切片では、従来の超高感度免疫組織化学の方法で一次抗体反応を省くと、陽性反応を認めない。図２の１と2に、ヒト扁桃組織固定パラフィン標本切片で、抗原回復処理を行わず、一次抗体反応を省いて、従来の超高感度の免疫組織化学的染色を自動免疫染色装置での実施例を示す。全く非特異陽性所見を認めない。
【００７７】
２）0.01Mクエン酸緩衝液pH 6.0に切片を浸し、オートクレーブで121℃５分間の加熱処理での抗原回復を行い、従来の超高感度免疫組織化学の方法で一次抗体反応を省いて実施したが、図２の3に示すように、強い内因性ビオチンによる非特異反応を認める。
【００７８】
３）抗原回復を加熱型攪拌器を用い94℃４０分間の熱処理での抗原回復行い、同様の実施で、図２の４に示すように、内因性ビオチンによる非特異反応を認める。図2の３に示すオートクレーブでの抗原回復例と比べて、非特異反応は弱いが、特異反応の評価に問題となる非特異反応である。
【００７９】
４）前記も加熱型攪拌器を用いた抗原処理を行い、緩衝10％ホルマリン溶液で後固定30分間行い、同様に従来の超高感度免疫組織化学の方法で一次抗体反応を省き実施した所、図２の５に示すように、内因性ビオチンによる非特異反応は消失した。しかし、一次抗体に増殖細胞の核を標識する抗Ki67抗原抗体溶液を用いて、前記も加熱型攪拌器を用いた抗原処理を行い、緩衝10％ホルマリン溶液で後固定30分間行い、同様に従来の超高感度免疫組織化学の方法を実施し、図２の６に示すように、極少数の核が陽性を示したのみであった。抗原回復した抗原が緩衝10％ホルマリン溶液での後固定で再度マスクされていることが判明した。
【００８０】
従って、従来の超高感度免疫組織化学の方法の根本的な非特異反応の抑制の方法が必要となった。
【００８１】
緩衝10％ホルマリン溶液は、リン酸一ナトリウム・２水塩４gとリン酸二ナトリウム・１２水塩２６gをイオン交換水９００mlに溶解し、特級ホルムアルデヒド液（ホルマリン）１００mlを加えて作成する。
【００８２】
後固定とは、固定組織パラフィン標本切片は、作成の過程で初めに化学固定されているが、パラフィンを除き親水化してから、再度、化学固定することである。
【００８３】
抗Ki67抗原抗体溶液は、Ki-67 Antigen, MIB-1 (マウス単クローン抗体）（DakoCytomation Co. M7240)のダコ抗体希釈溶液での50倍希釈溶液である。
実施例３
【００８４】
二次抗体と西洋ワサビペルオキシダーゼとポリマーとの複合体によるポリマー法の抗原検出感度を検討した。従来の超高感度の免疫組織化学的染色方法に組み込まれているsABC法を対照とした。
【００８５】
検索に用いた固定組織パラフィン標本切片は、ヒトT細胞親和性ウイルス１型（HTLV-1)関連のMT-1細胞株のセルブロック標本である。用いた一次抗体は、HTLV-1の関連蛋白であるp40Tax蛋白のラット単クローン抗体(WATM-1,琉球大学の田中勇悦教授より供与）を用い、100倍、500倍、1000倍にダコ抗体希釈液で希釈した溶液を用いた。検討したポリマー法は、抗ラット免疫グロブリン抗体と西洋ワサビペルオキシダーゼを短いポリマーと複合体を用いるもの（表１の２）、ダコChemMate ENVISION（表１の３）、ダコENVISION+（抗マウス一次抗体用）（表１の４）、ニチレイ（ザイメット社）のヒストファイン・シンプル・ステイン・マルチ(ペルオキシダーゼ標識）（Histofine Simple Stain, MULTI (PO)、表１の５）である。sABC法と対比して、結果を表１に示す。ポリマー法の全てが、sABC法と比較して背景の非特異反応が少なかった。抗ラット免疫グロブリン抗体と西洋ワサビペルオキシダーゼを短いポリマーと複合体を用いるもの（表１の２）がほぼsABC法と同等の抗原検出感度を示した。抗マウス免疫グロブリン抗体のラット免疫グロブリンとの交叉反応で陽性像を示す他のポリマー法では、ダコChemMate EnVision（表１の３）がsABC法とほぼ同様の検出感度であった。ダコChemMate EnVision（表１の３）とダコEnVision+（抗マウス一次抗体用）（表１の４）の抗原検出感度の差は、ダコChemMate EnVision（表１の３）より短いポリマーを用いていることに起因している可能性が示唆された。図３に、それぞれの100倍希釈一次抗体溶液での染色結果を示す。
【００８６】
＜セルブロック標本＞
セルブロック標本は、大量に培養した細胞ないし採取された細胞を試験管に集め、500rpmで10秒程、フラッシュ遠沈し、細胞集塊を作り、それに、10％緩衝ホルマリン溶液を注ぎ30分間固定し、この固定された細胞集塊を組織と同様に処理し、パラフィン包埋標本を作成した。
【００８７】
＜ダコChemMate ENVISION＞
ダコChemMate ENVISION（K5027)は、商業的に供給されているポリマー法の一つであり、自動免疫染色装置での染色を前提に供給されている。ダコEnVisionより抗原検出感度が高いとされている。
【００８８】
＜ダコENVISION+（抗マウス一次抗体用）＞
ダコENVISION+（抗マウス一次抗体用）（K4006は、商業的に供給されているポリマー法である。チレイ（ザイメット社）のヒストファイン・シンプル・ステイン・マルチニチレイ（ザイメット社）のヒストファイン・シンプル・ステイン・マルチ(ペルオキシダーゼ標識）（Histofine Simple Stain, MULTI (PO)、424154）は。商業的に供給されているポリマー法である。
【００８９】
【表１】
2004271511.tif 000002
【００９０】
次に、ヒト扁桃組織の固定組織パラフィン標本切片を用い、0.01Mクエン酸緩衝液pH6.0に浸しオートクレーブでの熱処理による抗原回復を行い、一次抗体は抗Ki67抗原抗体溶液でKi-67 Antigen, MIB-1 (マウス単クローン抗体）（DakoCytomation Co. M7240)をダコ抗体希釈溶液での50倍に希釈した溶液を用い、sABC法とダコChemMate EnVisionを実施した。その染色像を、図４に示す。sABC法（図４の１、３、５）とダコChemMate EnVision（図４の２、４、６）は、ややsABC法が強いがほぼ同様の陽性像を示した。
【００９１】
従って、ウサギ、マウス、ラットの一次抗体の利用の観点から、sABC法と同等の抗原検出感度を有し、超高感度の免疫組織化学的染色方法にsABC法に代わって組み込めるのはダコChemMate EnVisionポリマー法である。
【００９２】
実施例４
本発明の超高感度免疫組織化学的染色を、ヒト扁桃固定組織パラフィン標本切片を用い、0.01Mクエン酸緩衝液pH6.0に浸しオートクレーブでの熱処理による抗原回復を行い、一次抗体は抗Ki67抗原抗体溶液でKi-67 Antigen, MIB-1 (マウス単クローン抗体）（DakoCytomation Co. M7240）をダコ抗体希釈溶液での50倍に希釈した溶液を用い、実施した。
【００９３】
固定の良好な切片の領域では、リンパ球と扁平上皮の増殖細胞の核が標識された（図５の１、２、３）。一方、固定の余り良くない領域では、背景の非特異反応が強く出現した（図５の４と５）。20％緩衝ホルマリン溶液で化学固定された組織パラフィン標本切片では、良好な染色結果が得られた（図５の６）。
【００９４】
従って、本発明の超高感度免疫組織化学的染色法で、固定の良好である固定組織パラフィン標本切片では、非常に背景の非特異反応の少ない染色が可能であることが示された。
【００９５】
実施例５
次に、非特異反応を、さらに抑制する方法を見出すべく、種々の比較試験を行なった。
【００９６】
上記実施例に記載のポリマー法導入の超高感度免疫染色で、catalyzed reportor deposition (CARD)/catalyzed signal amplification (CSA)反応を、ビオチン化タイラマイド反応とストレプトアビチンーHRP複合体反応による増幅反応とフルオレスセンス・イソチオネート（FITC）-タイラマイド反応とHRP標識抗FITC抗体反応による増幅反応を比較した。
【００９７】
図６は、陰性コントロール染色でのビオチン化タイラマイド法とフルオレスセンス・イソチオネート（FITC）-タイラマイド法の比較（ヒト虫垂組織）を示す。まず、10％ホルマリン液固定パラフィン包埋ヒト虫垂粘膜組織標本切片を、0.01Mクエン酸緩衝液によるオートクレーブ121℃  5分間で抗原回復前処理を行い、一次抗体反応を省いた後に、aは ポリマー法、ビオチン化タイラマイド反応、ストレプトアビチンーHRP複合体反応による増幅反応、DAB過酸化水素呈色反応を行い、ヘマトキシリン核染色を行った。bはポリマー法、FITC-タイラマイド反応とHRP標識抗FITC抗体反応による増幅反応、DAB過酸化水素呈色反応を行い、ヘマトキシリン核染色を行った。その結果、共に、ヒト虫垂粘膜組織の腺上皮に非特異反応を示した。しかし、bの方が、非特異反応は弱かった。この反応はビオチンによるものではなく、異化タイラマイドの非特異沈着反応によるものであり、ビオチンはC12H16N2O3S 分子量: 244.3であり、FITCはC21H11NO5S 分子量: 389.4であり、タイラマイド(tyramine) C8H11NO 分子量: 137.2であることから、分子量はFITC-タイラマイドがビオチン化タイラマイドより大きくなり、FITC-タイラマイドの非特異沈着反応での移動が少ないことが示唆された。
【００９８】
上記を確認する為に、ヒトリンパ節、ヒト扁平上皮癌組織、ヒト肝臓癌組織、ヒト胃癌組織、ヒト胃カルチノイド組織の緩衝10％ホルマリン溶液固定パラフィン包埋組織切片を用いて、抗体Ki-67抗原抗体(MIB-1)を用い、染色方法は、超高感度免疫染色方法でのビオチン化タイラマイド法、FITC-タイラマイド法を用いると共に、対象として、ChemMate EnVision (ポリマー法)と一次抗体反応を省いたストレプトアビチンーHRP複合体反応による内因性ビオチンの検出法を行った。
【００９９】
超高感度免疫染色方法は、全て、ポリマー法を導入した方法に、ビオチン化タイラマイド法はビオチン化タイラマイド反応の前に0.25%のカゼイン溶液による非特異反応抑制を行い、FITC-タイラマイド法は0.25%のカゼイン溶液による非特異反応抑制後に２回の界面活性剤添加トリス緩衝液での洗浄を行った後にFITC-タイラマイド反応を２倍の時間（30分間）行った。このそれぞれの染色プロトコールの相違は、0.25%のカゼイン溶液による非特異反応抑制の有無とその後の界面活性剤添加トリス緩衝液の有無の効果を評価して、それぞれが最も強い陽性反応を示す設定を決めたものである。
染色は、DAKO autostainerを用いて、洗浄緩衝液は35℃に加熱した界面活性剤添加トリス緩衝液である。
【０１００】
図７は、Ki-67抗原のポリマー法、ポリマー法を導入した超感度免疫組織化学的染色方法、ポリマー法とビオチン化タイラマイド反応前非特異反応抑制処理を行った超高感度免疫組織化学的染色方法による検出とストレプトアビチンーHRP複合体反応による内因性ビオチンの検出（ヒトリンパ節、肝臓癌周囲の肝臓正常部、胃カルチノイド組織）を示す。
【０１０１】
aはポリマー法、bは一次抗体（MB-1）反応を省きストレプトアビチンーHRP複合体反応を行ったもの、cはポリマー法を導入した超高感度免疫組織化学染色法（既特許出願の方法）、dはポリマー法を導入した超高感度免疫組織化学染色法（既特許出願の方法）のビオチン化タイラマイド反応前に0.25％カゼイン溶液による非特異反応抑制を行ったものである。ただし、一次抗体は、界面活性剤添加トリス緩衝液抗体希釈液で1００倍に希釈して用い、aは1時間、cとｄは30分の反応で行った。標本は、１はリンパ節、２は肝臓癌の伴う肝臓正常部、３は胃粘膜でカルチノイドを伴う部分である。その結果、図７に示す様に、bでの内因性ビオチンのストレプトアビチンーHRP複合体反応による検出は、２の肝臓正常部で淡く認められるのみであった。aとdは、dがより感度の高いKi-67抗原の検出が行われているが、cでは非特異反応がどの切片でも強いことが理解出来る。従って、ビオチン化タイラマイド反応前に0.25％カゼイン溶液による非特異反応抑制で、ビオチン化タイラマイド反応による非特異反応の抑制が出来ることが判明した。
【０１０２】
図８は、超高感度免疫染色方法での前に0.25％カゼイン溶液による非特異反応抑制処理を行ったビオチン化タイラマイド法(a)とFITC-タイラマイド法 (b)で、リンパ節(1)、扁平上皮癌(2)、肝臓癌(3)、胃癌(4)の組織でKi67抗原を検出したものである。ビオチン化タイラマイド法(a)よりFITC-タイラマイド法 (b)は Ki-67抗原の検出感度が低くなっているのが明らかである。これは、ビオチンとFITCの分子量が244.3、389.4であることから、ポリマー試薬のHRPによるそれぞれのタイラマイドとの複合体の異化反応による沈着反応が分子量に反比例して低下していることが示唆された。
【０１０３】
CARD/CSA反応による標識タイラマイドの異化沈着反応の検出では、その洗浄は強く行ってはならないことは、DENDRITIC CELLS 7:19-27, 1997で明らかにしている。従って、用手法での染色の実施では、室温での界面活性剤を添加しないトリス緩衝液ないしリン酸緩衝液での洗浄が行われてた。
【０１０４】
第２世代として商業的に供給されているFITC-タイラマイドによる増幅反応は、異化沈着物質の分子量の増加による沈着範囲の狭小化により、この問題を解決するものであるが、図８に示したように抗原検出感度を一方で低下させている事がわかった。
【０１０５】
今回の我々の発見したビオチン化タイラマイド反応前の非特異反応の抑制で、このCARD/CSA反応の非特異沈着の抑制ないし拡散した沈着の抑制は抗原の検出感度を低めることなく、超高感度免疫組織化学的染色を実施出来るものである。
【０１０６】
従来法では、充分な洗浄を行うと共に、非特異反応の出現する現象が見られた。この現象は、ストレプトアビチン(St-Av)ー西洋ワサビペルオキシダーゼ(HRP)複合体反応による内因性ビオチンの検出なのか、catalyzed reporter deposition (CARD)/catalyzed signal amplification (CSA)反応の非特異反応であるのかが問題となった。
【０１０７】
今回の試験によって、ビオチン化タイラマイド反応とSt-Av-HRP反応による増幅反応とフルオレセン・イソチアネート(FITC)-タイラマイド反応とHRP標識抗FITC抗体反応による増幅反応を比較して、後者の増幅反応での非特異反応が少ないことから、CARD/CSA反応における異化物質の非特異拡散沈着反応がこの非特異反応の原因であることが示唆され、それがこの検索で確認されると共に、その抑制には、0.25%カゼイン溶液による非特異反応の抑制が有効であり、かつ、抗原検出感度は、ビオチン化タイラマイドのCARD/CSA反応による超高感度免疫組織化学的染色方法がより高いことが示された。
【０１０８】
＜実施例５に用いた試薬等＞
＜ポリマー試薬＞
ダコ・サイトメーション社のダコChemMate ENVISION K5027。
0.25％カゼイン溶液試薬：ダコ・サイトメーション社の非特異反応ブロッキング試薬 X0909。
【０１０９】
＜ビオチン化タイラマイド試薬＞
ダコ・サイトメーション社のダコCSA System K1500のボトル8の増幅試薬。
【０１１０】
＜ストレプトアビチンーHRP複合体＞
ダコ・サイトメーション社のダコCSA System K1500のボトル９の酵素標識試薬。
【０１１１】
＜FITC-タイラマイド試薬＞
ダコ・サイトメーション社のCSA II (K1497)の増幅試薬ないしダコ・サイトメーション社のダコGenPoint system (K0618)のFITC標識タイラマイド溶液。
【０１１２】
＜HRP標識抗FITC抗体試薬＞
ダコ・サイトメーション社のダコGenPoint system (K0618)の抗FITC抗体/HRP二次酵素試薬。
【産業上の利用可能性】
【０１１３】
高感度の抗原検出法を提供できるため、生物学、医学、分子生物学等の種々の関連分野において、研究分析にとどまらず、実用面にも多大な需要があると考えられる。
【図面の簡単な説明】
【０１１４】
【図１】本発明の超高感度の免疫組織化学的染色方法を含む免疫組織化学的染色法の一実施態様における光顕的に識別される最終産物の概念図である。
【図２】図２は、ヒト扁桃固定組織パラフィン標本を用いた本発明の免疫組織化学的染色法による抗原の検出方法による結果を示す。標本切片を用い従来の超高感度免疫組織化学的染色法を実施し、抗原回復の有無と抗原回復後の固定の影響を検討した。
【図３】図３は、HTLV-1関連細胞株MT-1のセルブロック標本で、HTLV-1関連蛋白のp40Tax蛋白の特異抗体(WATM-1)を用い、sABC法とポリマー法で免疫組織化学的染色を実施した結果を示す。
【図４】図４は、ヒト扁桃固定組織パラフィン標本切片を用い、抗原回復後に、Ki-67抗原抗体一次抗体反応を行い、sABC法とダコChemMate ENVISION法で免疫組織化学的染色を実施した結果を示す。
【図５】図５は、ヒト扁桃固定組織パラフィン標本切片を用い、抗原回復後に、Ki-67抗原抗体一次抗体反応を行い、本発明の超高感度免疫組織化学的染色を実施したもの。固定が良好の部分。やや固定が不良な部分。固定を20％緩衝ホルマリン溶液で行った結果を示す。
【図６】図６は、陰性コントロール染色でのビオチン化タイラマイド法とフルオレスセンス・イソチオネート（FITC）-タイラマイド法の比較（ヒト虫垂組織）を示す。
【図７】図７は、Ki-67抗原のポリマー法、ポリマー法を導入した超感度免疫組織化学的染色方法、ポリマー法とビオチン化タイラマイド反応前非特異反応抑制処理を行った超高感度免疫組織化学的染色方法による検出とストレプトアビチンーHRP複合体反応による内因性ビオチンの検出（ヒトリンパ節、肝臓癌周囲の肝臓正常部、胃カルチノイド組織）を示す。
【図８】図８は、Ki-67抗原のポリマー法とビオチン化タイラマイド反応前非特異反応抑制処理を行ったビオチン化タイラマイド法、FITC-タイラマイド法の超感度免疫組織化学的染色による検出感度の相違（ヒトリンパ節、扁平上皮癌、肝臓癌、胃癌組織）を示す。
【図１】
2004271511.tif 000003
【図２】
2004271511.tif 000004
【図３】
2004271511.tif 000005
【図４】
2004271511.tif 000006
【図５】
2004271511.tif 000007
【図６】
2004271511.tif 000008
【図７】
2004271511.tif 000009
【図８】
2004271511.tif 000010